(57)【特許請求の範囲】
【請求項１】
ＣＤＭＡ通信システムでユーザーに送信されるべきブロードキャスト・ショート・メッセージ・サービス（ＢＳＭＳ）メッセージの送信時間をスケジューリングする方法であって、
該メッセージの長さ、該メッセージに関連した第二のメッセージ有効期間、及び少なくとも１つのセクタにおけるユーザーの数に基づいて該通信システムの少なくとも１つのセクタに対応する第一メッセージ有効期間を計算するステップ、
計算された該対応する第一のメッセージ有効期間に基づいて少なくとも１つのセクタにおける該メッセージの対応する送信時間をスケジューリングするステップ、及び
少なくとも１名のユーザーの望ましい音声信号品質のサービス要求に基づいて、１つのセクタにおける該少なくとも１名のユーザーに対して、該メッセージの対応する送信時間を修正するステップ
からなる方法。
【請求項２】
前記スケジューリング・ステップは上記少なくとも１つのセクタにおける複数のユーザーに対して上記メッセージの対応する送信時間をスケジュールする請求項１記載の方法。
【請求項３】
前記スケジューリング・ステップが時間差形態で上記複数のユーザーに対する上記メッセージの対応する送信時間をスケジュールする請求項２記載の方法。
【請求項４】
サービス要求の品質が上記少なくとも１名のユーザーに送信される音声信号の２０フレーム・エラー率である請求項１記載の方法。
【請求項５】
上記サービス要求の品質が上記少なくとも１名のユーザーに送信される音声信号のボコーダー・モードである請求項１記載の方法。
【請求項６】
上記メッセージがショート・メッセージ・サービス・メッセージ・センターから受信された放送ショート・サービス・メッセージである請求項１記載の方法。
【請求項７】
前記計算ステップがさらに上記ショート・サービス・メッセージから上記メッセージ及び第二メッセージ有効期間を判定するステップを含む請求項６記載の方法。
【請求項８】
前記計算ステップがさらに、対応する基地局から上記少なくとも１つのセクタのユーザーの数を受信するステップを含む請求項７記載の方法。
【請求項９】
さらに、各計算された第一メッセージ有効期間を上記ショート・メッセージ・サービスに合わせて調節するステップを含む請求項６の方法。
【発明の詳細な説明】
【０００１】
【発明の属する技術分野】
本発明は、一般的には通信の分野に関し、特に、ＣＤＭＡ無線通信システムのための放送メッセージ・スケジューラに基づくサービス品質調整（ＱｏＳ）を提供するための方法及び装置に関する。
【０００２】
【従来の技術】
図１は典型的な通信システム１００、特にコード分割多重アクセス（ＣＤＭＡ）無線通信システムの一部を図式的に示したものである。システム１００は１つの地理的エリアに存在している多数の無線端末１０１−１、１０１−２、１０１−３に無線通信サービスを提供する。典型的な無線通信システム１００の心臓部は移動交換センター（ＭＳＣ）１２０で、これは無線交換センター（ＷＳＣ）あるいは移動電話交換オフィス（ＭＴＳＯ）と呼ばれる場合もある。通常、ＭＳＣ１２０はシステム１００によってサービスの提供を受けている上記地理的エリア全体に分散している基地局１０３−１、１０３−２、１０３−３、１０３−４、１０３−５及び少なくとも１つの公衆交換電話ネットワーク（ＰＳＴＮ）１３０に接続されている。ＭＳＣ１２０はとりわけ無線端末間及び１つの無線端末と（市内及び／又は長距離ネットワーク）を通じて上記システムに接続された別の無線端末（図示せず））との間の通話を確立、維持する役割を果たしている。
【０００３】
そのシステム１００によってサービスの提供を受けている地理的エリアは『セル』と呼ばれる多数の空間的に異なったエリアに分割されている。図１で、各セルは６角形で図式的に示してあるが、各セルは通常システム１００によってサービスの提供を受けている地域の地形に従って不規則な形を有している。一般的に、各セルは例えば基地局１０３−１などの１つの基地局を含んでおり、この基地局はその基地局がそのセル内の無線端末と交信するために使用する無線及びアンテナを含んでおり、同時に、その基地局がＭＳＣ２０と交信するために使用する送信設備を有している。
【０００４】
【発明が解決しようとする課題】
例えば、無線端末１０１−１が無線端末１０１−２との交信を希望する時、無線端末１０１−１は希望する情報を基地局１０３−１に送り、基地局１０３−１はその情報をＭＳＣ１２０に中継する。情報を受信すると、その情報が無線端末１０１−２に向けられたものであるとの知識に基づいて、ＭＳＣ１２０はその情報を基地局１０３−１に返送し、基地局１０３−１はその情報を無線端末１０１−２に中継する。
【０００５】
【課題を解決するための手段】
ＭＳＣ１２０はショート・メッセージ・サービス（ＳＭＳメッセージ・サービス（ＭＣ）１２５にも接続されている。ＳＭＳ ＭＣ１２５はＳＭＳ及び放送（ブロードキャスト）ショート・メッセージ・サービス（ＢＳＭＳ）をそのシステム１００に提供する。先行技術で知られているように、ＢＳＭＳはシステム１００内の複数のユーザーに対してのショート・テキスト・メッセージの送信を可能にしてくれる。受信されると、このテキスト・メッセージはそのユーザーの無線端末に表示される。一般的に、ＢＳＭＳは交通及び気象情報、ニュース、スポーツ・ニュース及び一般消費者向け広告などの目的のためにサービス・プロバイダによって使用される。
【０００６】
ＣＤＭＡ通信システムにおいては、情報はフレームと呼ばれる固定時間単位内にトラフィック・チャンネルを通じて送信される。各フレームは通常２０ミリ秒の長さである。各情報はボコーダーによって符号化され、会話フレームと呼ばれる単位で送信され、この会話フレームもＣＤＭＡトラフィック・チャンネルではトラフィック・フレームと同じ持続時間を有している。ユーザーの音声プロセスは交互に繰り返される会話スパート及び沈黙期間で構成され、これらはそれぞれ会話フレームの音声データ内の音声データ及びブレーク（データなし）として反映されている。ＢＳＭＳメッセージは前方トラフィック・チャンネルを通じて、つまり、基地局から無線端末へのチャンネルを通じて音声情報と共に送られる。
【０００７】
各ＢＳＭＳメッセージはそのサイズが限定されており、データ・バースト・メッセージの形態でユーザーに提供される。通常、ＢＳＭＳメッセージは一般的にいわゆる『ディム・アンド・バースト』法（つまり、ユーザーのボコーダー・モードに基づいて、その音声データの微小部分を砕く、あるいはかすませて、同時にフレームのブレークを埋めるためにＢＳＭＳメッセージを用いること）によって音声データと共にトラフィック・フレーム内に多重化される。なお、ＢＳＭＳメッセージと会話情報の多重化はユーザーのサービス要求に応じていくつかの方法で実行される。
【０００８】
サービス・プロバイダがそのユーザーに対してＢＳＭＳメッセージを送信するのが望ましい。同時に、ユーザーがサービス・プロバイダからのＢＳＭＳメッセージを受信することも望ましい。残念ながら、ＣＤＭＡ通信システムにおけるＢＳＭＳメッセージの送信には欠陥なしではない。例えば、ＢＳＭＳメッセージが音声データと多重化されるとＣＤＭＡシステムのユーザー間の干渉が増大する。つまり、フレーム内のブレークはＢＳＭＳメッセージ情報で満たされているので、ＢＳＭＳメッセージなしでフレームを送信するために必要とされるＲＦ送信と違ってトラフィック・フレームをＢＳＭＳメッセージと共に送信するために追加的無線周波数（ＲＦ）送信が必要となる。この追加的ＲＦ送信はＢＳＭＳメッセージがシステム内の各ユーザーに送信されるという事実からさらにややこしくなる。各ユーザーに対する追加的ＲＦ送信はシステム内の各ユーザーに対する干渉を引き起こす。この干渉はＣＤＭＡシステムの音声品質に重大な影響を及ぼす。
【０００９】
さらに、ＢＳＭＳメッセージの送信によってシステム・キャパシティの低下という問題が発生する。先行技術で知られているように、ＣＤＭＡ無線通信システムにおいては、一般的に『パワー・コントロール』と呼ばれる基地局プロセスはその基地局と交信している無線端末の送信能力を規制する。このパワー・コントロール・プロセスはそのセル内に存在するノイズ又は干渉の量に基づいて１つのセルが一回にサポートできるユーザーの数も規制する。ＣＤＭＡ広帯域チャンネルがすべてのセル内で再使用されるので、同じセルの他のユーザーによって引き起こされる自己干渉と他のセル内のユーザーによって起こされる干渉はそのセル、従ってＣＤＭＡシステムのキャパシティに対する最も制限的なファクターである。
フェージング及びその他のチャンネル不良によって、各ユーザーに対する信号対ノイズ比率（ＳＮＲ）が平均して受け入れ可能なチャンネル性能をサポートするのに必要な最大ポイントである時に最大キャパシティが達成される。これら及びその他の原理に基づいて、パワー・コントロールは新しいユーザー（つまり、無線端末）又は通話をそのシステム内の１つのセルに加えることができるかどうかを判定する。パワー・コントロールが新しいユーザー又は通話をセルに加えることができると判断した場合は、それはユーザーがそのセルにアクセスするのを防止する。従って、ＢＳＭＳメッセージの送信に関連して増大される干渉もＣＤＭＡ通信システムのキャパシティを低下させる可能性がある。
【００１０】
ＣＤＭＡがその高い音声品質を維持しつつ、その能力の限度一般で作動できるようにすることは、ＣＤＭＡサービス・プロバイダにとってその収入、顧客の満足度、そして評判などの点で非常に重要である。上に述べたように、サービス・プロバイダがＢＳＭＳメッセージを送信し、ユーザー側がそのＢＳＭＳメッセージを受信するのが望ましい。従って、ＣＤＭＡ無線通信システムでＢＳＭＳメッセージの送信に原因を帰せしめ得る音声品質とシステム・キャパシティに対する悪影響を減らすことは望ましくもあり、同時に必要なことである。
【００１１】
上に述べたような欠陥と考慮に入れ、さらに他の理由から、本発明は無線通信システムにおけるＢＳＭＳメッセージの送信に原因を帰せしめ得る音声品質とシステム・キャパシティに対する悪影響を減らすような方法で放送ショート・メッセージ・サービス（ＢＳＭＳ）メッセージのスケジューリングに向けられている。本発明はシステム内の個々のユーザーに対するＢＳＭＳメッセージの送信時間を調整しスケジュールする放送メッセージ・スケジューラに基づくサービス品質調整（ＱｏＳ）を利用したコンピュータで実施される方法及び装置とで構成される。本発明はまた、ユーザーが放送キャパシティと音声品質との折り合いをつけられるようにする。
【００１２】
本発明のひとつの側面で、無線システムで送信されるメッセージの送信時間をスケジュールする方法が提供される。この方法は、そのメッセージの長さに基づいて上記通信システムの少なくとも１つのセクターに対する第一メッセージ有効期間、上記メッセージに関連した第二のメッセージ有効期間、そして対応する少なくとも１つのセクターにおけるユーザーの数を計算するステップと、上記計算された対第一のメッセージ有効期間に基づいて少なくとも１つのセクターにおいて上記メッセージの対応する送信時間をスケジューリングするステップとを含んでいる。
【００１３】
本発明の別の側面で、無線システムが提供される。このシステムは前記システム内で送信されるメッセージの送信時間をスケジューリングし、同時に上記メッセージの長さ、第二メッセージ有効期間、及び上記セクターにおけるユーザーの数に基づいて前記システム内の１つのセクターに対する第一のメッセージ有効期間を計算する第一のプログラムされたプロセッサを含み、前記第二のメッセージ有効期間が上記メッセージと関係付けられる移動交換センターと、前記移動交換センターに結合され、上記計算された第一のメッセージ有効期間に基づいて上記セクター内の少なくとも１名のユーザーに対するメッセージの送信時間をスケジューリングするための第二のプログラムされたプロセッサで構成されている基地局とを含んでいる。
【００１４】
本発明の目的はは無線システム内のユーザーに対するＢＳＭＳメッセージの送信時間を調整しスケジュールするための装置を提供することである。
【００１５】
本発明のもうひとつの目的は、ユーザーが望む場合はユーザーが音声品質と放送キャパシティとのバランスをはかることができる無線通信システムにおけるユーザーに対するＢＳＭＳメッセージの送信時間を調節し、スケジューリングするための装置を提供することである。
【００１６】
本発明のさらに別の目的は無線通信システムにおけるユーザーへのＢＳＭＳメッセージの送信時間を調整、スケジューリングするための方法を提供することである。
【００１７】
本発明のもうひとつの目的は、ユーザーが望む場合はユーザーが音声品質と放送キャパシティとのバランスをはかることができる無線通信システムにおけるユーザーに対するＢＳＭＳメッセージの送信時間を調節し、スケジューリングするための方法を提供することである。
【００１８】
【発明の実施の形態】
図２は本発明のひとつの実施の形態に従って形成されたＣＤＭＡ無線通信システム２００を示す構成図である。システム２００は移動交換センター（ＭＳＣ）２２０と、少なくとも１つのＣＤＭＡ基地局２１０を含んでいる。各基地局２１０は少なくとも１つのアンテナ２１２を含んでいる。ＭＳＣ２２０は基地局２１０、公衆交換電話ネットワーク（ＰＳＴＮ）１３０及びショート・メッセージ・サービス（ＳＭＳ）メッセージ・センター（ＭＣ）１２５に接続されている。上で図１に関連して述べたように、ＳＭＳ  ＭＣ１２５はシステム２００に対してＳＭＳ及び放送ショート・メッセージ・サービス（ＢＳＭＳ）を提供する。なお、基地局２１０の数など、システム２００の正確なアーキテクチャはシステム２００がＣＭＤＡ無線サービスをそのユーザーに（無線端末を介して）送れる限り、重要な意味は持たない。
【００１９】
以下に述べるように、システム２００はシステム２００の個々のユーザーに対するＢＳＭＳメッセージの送信時間を調節し、スケジューリングするＣＤＭＡ放送メッセージ・スケジューラ３００に基づいてサービス品質調整（ＱｏＳ）を提供するように構成されている。以下に明らかになるように、システム２００はスケジューラ３００を介して、ＢＳＭＳメッセージの送信に原因を帰せしめ得る音声品質及びシステム・キャパシティに対する影響を低下させる方法でＢＳＭＳメッセージの送信時間をスケジュールする。加えて、システム２００はスケジューラ３００はユーザーが望む場合は音声品質と放送キャパシティとのバランスをはかることも可能にしてくれる。
【００２０】
本発明はソフトウエアでインプリメントされ、ＣＤＭＡシステムの各基地局及びＭＳＣ内で実行される。図８は本発明によるスケジューラ３００（図２）によって行われるＢＳＭＳスケジューリング・プロセス４００に基づく典型的なサービス品質調整（ＱｏＳ）を示すフローチャートである。以下の説明は、ＣＤＭＡシステム（以下により詳細に説明する）に複数の基地局と複数のセクターが存在していることを仮定している。最初に、ステップ４０２で、ＭＳＣはＳＭＳメッセージ・センターからＢＳＭＳメッセージを入力する。このメッセージはメッセージのテキスト、そのメッセージに関する有効性／反復期間、及びメッセージ長を含んでいる。１つのセクターのユーザーの数はシステム内の各基地局からも受信されるが、この情報は、その情報が各セクター内の音声ユーザーの数を正確に示す限り、ＢＳＭＳメッセージと正確に同じ時点に受信される必要はない。ステップ４０４で、ＭＳＣは基地局から受信される情報とＢＳＭＳメッセージ内の情報に基づいて各セクターに対するメッセージに対する有効性／反復期間を計算する期間調整機能を実行する。以下にさらに詳細に述べるように、計算された有効性／反復期間は、ＳＭＳメッセージ・センターとの間に調整を図り、受け入れられねばならない。この計算された有効性／反復期間が受け入れられない場合、ＭＳＣはそのＢＳＭＳメッセージを処理しない。計算された有効性／反復期間がＳＭＳメッセージ・センターによって受け入れられると、ＭＳＣはシステム内の各基地局に対してＢＳＭＳメッセージと、そのＢＳＭＳメッセージに対する適切な調整された有効性／反復期間を供給する（ステップ４０６）。
【００２１】
その情報画基地局によって受信されると（ステップ４０８）、各基地局は受信されたそのセクターに対する有効性／反復期間、メッセージ長、及びそのセクター内の音声ユーザーの数に基づいてその放送スケジュールを計算する（つまり放送時間差期間を計算する）（ステップ４１０）。この時点で、システム内の各基地局はシステム内の各ユーザーに対するＢＳＭＳメッセージの送信に原因を帰せしめ得る音声品質及びシステム・キャパシティに対する悪影響を減らすために、各ユーザーに対してＢＳＭＳメッセージの送信時間の時間差を設ける。
【００２２】
基地局がステップ４１０でその放送スケジュールを計算したら、各基地局はその各ユーザーに対してＱｏＳを実行し、放送スケジュール（時間差期間）及びＱｏＳ割り当てに従って各ユーザーにＢＳＭＳメッセージを送信する（ステップ４１４）。以下により詳細に理解されるように、ＱｏＳ割り当てはユーザーに対して音声品質とＢＳＭＳキャパシティとのバランスを図ることをできるようにしている。
【００２３】
図３は典型的な基地局２１０を示している。基地局２１０は通常の方法で接続されたマイクロプロセッサ２１４、メモリー回路２１６、アンテナ２１２、及びラジオ・モジュール２１８を有している。このラジオ・モジュール２１８は複数のラジオ２１８−１、２１８−２、・・・、２１８−ｎを含んでいる。先行技術で知られているように、マイクロプロセッサ２１４はメモリー２１６、及びラジオ・モジュール２１８に結合され、ＭＳＣと交信する。これも先行技術で知られているように、マイクロプロセッサ２１４はＭＳＣと交信しつつ通話処理及びパワー・コントロール機能などの基地局の動作を制御し、調整する。従って、マイクロプロセッサ２１４は基地局２１０のための制御装置として機能する。一定の追加的なソフトウエアを提供すれば、マイクロプロセッサ２１４は本発明によるＣＤＭＡ放送メッセージ・スケジューラ３００に基づくＱｏＳの一部もインプリメントする（以下に図５−８に関連して説明する）。
【００２４】
図４は典型的なＭＳＣ２２０を示している。ＭＳＣ２２０はメモリー回路２２２、マイクロプロセッサ２２４、及びセルラー・スイッチ２２６を含んでおり、これらは通常の方法で接続されている。先行技術で知られているように、セルラー・スイッチ２２６はマイクロプロセッサ２２４と連携して作動して、基地局とＰＳＴＮとの間で、オーバーヘッド及びトラフィック・メッセージ信号などの信号を切り換える。ＣＤＭＡなどの典型的な無線ネットワーク・プロトコルによれば、マイクロプロセッサ２２４はシステム・ユーザーの無線端末間で無線通信リンクを確立するために、基地局やＰＳＴＮから受信された、あるいはそれらに送信するためのメッセージ信号を処理する。このように、マイクロプロセッサ２２４はＭＳＣ２２０のための制御装置としても機能する。一定の追加的なソフトウエアを提供すれば、マイクロプロセッサ２２４は本発明のＣＤＭＡ放送メッセージ・スケジューラ３００に基づくＱｏＳの一部もインプリメントする（以下に図５−８を参照して説明）。
【００２５】
さて、図５−７を参照して、以下に本発明によるＣＤＭＡ放送メッセージ・スケジューラ３００に基づくＱｏＳを詳細に説明する。スケジューラ３００とその機能について説明する前に、背景情報を提供する。先行技術で従来から知られているように、セルは単一の全方向性アンテナで構成することもできるし、あるいは多数の単一方向性アンテナで構成して、それらの組み合わせでセルの地理的エリア全体をカバーするようにしてもよい。各方向性アンテナはセルの特定のエリア内でエネルギーを送受信する。このエリアは一般的にはセクターと呼ばれる。従って、セルを複数のセクターに分割することができる。本発明のスケジューラ３００はＣＤＭＡ無線通信システム２００内の各セクター上で作動する（図２）。
【００２６】
ＣＤＭＡ放送メッセージ・スケジューラ３００に基づくＱｏＳは２つの主要な機能、つまり放送期間調整３１０と放送サービス割り当て３２０に分けることができる。放送サービス割り当て３２０は放送スケジュール３２２とＱｏＳ割り当て３２４の２つのサブ機能に分けることができる。以下に述べるように、放送期間調整３１０はセクター・ベースでＳＭＳメッセージ・センターから受信される各ＢＳＭＳメッセージに対する放送有効性／反復期間の調整を行う。放送サービス割り当て３２０は上記ＢＳＭＳメッセージに関連した負荷を調整された放送有効性／反復期間全体に分散させるような時間差法でシステム・ユーザーに対するＢＳＭＳメッセージの送信をスケジュールするために用いられる放送時間差期間を決定する。加えて、放送サービス割り当て３２０はユーザー・ベースで音声品質と放送キャパシティとのバランスを図れるようにしてくれる。
【００２７】
放送期間調整３１０はＭＳＣで行い、放送サービス割り当てはＣＤＭＡシステム内の各基地局で行われるのが望ましい。スケジューラ３００、特に放送期間調整機能３１０への入力はＳＭＳメッセージ・センターからのＢＳＭＳメッセージ及びシステムの上記各基地局から受信される１つのセクター内の音声ユーザーＮVなどである。各セクターは、例えばそのセクター内の音声ユーザーの数ＮVをメッセージを介してＭＳＣに伝えることができる。各ＢＳＭＳメッセージはそのメッセージのテキスト（図示せず）、そのメッセージの有効性／反復期間ＴP、そしてメッセージ長ＴM を含んでいる。スケジューラ３００、特に放送サービス割り当て機能３２０からの出力は特定のセクターにおけるＢＳＭＳメッセージ送信のための放送時間差期間ＴS とそのセクター内の個々のユーザーに対する目標フレーム・エラー率（ＦＥＲ）あるいはボコーダー・モードなどである。
【００２８】
ＣＤＭＡ放送メッセージ・スケジューラ３００に基づくＱｏＳの放送期間調整機能３１０は以下のように作動する。ＢＳＭＳメッセージはＳＭＳメッセージ・センターから受信される。上に述べたように、このメッセージはそのメッセージのテキスト、そのメッセージの有効性／反復期間ＴP、そしてメッセージ長ＴM を含んでいる。先行技術で知られているように、ＢＳＭＳメッセージの有効期間とはそのメッセージが有効と考えられるそのメッセージ内の情報が送られねばならない期間を意味している。同様に、反復期間というのは繰返し放送されねばならないＢＳＭＳメッセージの有効期間（つまり、ＢＳＭＳメッセージはＸ回繰返し送信されねばならず、各送信はそれ自体の有効期間を有しており、それは前の有効期間が終了すると開始される）を意味している。１つのセクター内の音声ユーザーの数ＮVは各基地局から受信される。音声ユーザーの数ＮVはＢＳＭＳメッセージが受信されるのと同時に受信される必要はないが、その正確さを保証するために繰返し受信されるべきである。
【００２９】
ＢＳＭＳメッセージが受信され、１つのセクター内の音声ユーザーの数ＮV が確定されると、そのＢＳＭＳメッセージに対する有効性／反復期間の調整が図られ、システム内の各セクターに対して以下のように計算される。放送期間調整３１０はそのＢＳＭＳメッセージをＳＭＳセンターで求められたように送信できるかどうかについて判定し、それが要求通りに送信できない場合は、それらのセクターの放送負荷許閾値に基づいてＳＭＳメッセージ・センターに対して改訂送信期間を示す。
【００３０】
セクターあたりの有効性／反復期間ＴPS はそのセクターの音声ユーザーの数ＮV と、メッセージ長ＴM 、それにそのメッセージに対する有効性／反復期間ＴP の関数として表現されるのが望ましく、ここでは（ＮV ，ＴM ，１／ＴP）として示される。例えば、セクター当たりの有効性／反復期間ＴPS は
ＴPS＝ｆ（ＮV ，ＴM ，１／ＴP）＝ｆ1（ＮV ＊ＴM ／ＴP）
の式で計算することができ、ここでＴPS は各セクターに対して計算され、ＮV ＊ＴM ／ＴP はセクターあたりの放送負荷の尺度を示している。関数ｆ（ＮV ，ＴM ，１／ＴP）とｆ1（ＮV ＊ＴM ／ＴP）はＴN＊ＮV ＊ＴM ／ＴP で、ＴNはＭＳＣによって決められる。なお、上の式は有効性／反復期間ＴPS 計算のひとつの事例であり、本発明はこの式だけに限定されない。この計算の後、ＭＳＣからの提案と計算結果の最大有効性／反復期間をＴPS として用いる。各有効性／反復期間ＴPS が計算されると、それらは対応するセクターに対する放送許容閾値に基づいて受け入れられるか、あるいは改訂される。各セクターに対するＢＳＭＳメッセージの有効性／反復期間ＴPS が受け入れられると、それはセクター内の音声ユーザー数ＮV（オプション）、メッセージ長ＴM 、及びＢＳＭＳメッセージのテキスト（図示せず）と共に放送サービス割り当て機能３２０に送られる。
【００３１】
各放送サービス割り当て機能３２０は受信された情報に基づいて作動し、調整された放送有効性／反復期間ＴPS（放送スケジュール機能３２２によって実行される）全体にＢＳＭＳメッセージに関連した負荷を分散させるために時間差形態でシステム・ユーザーに対するＢＳＭＳメッセージの送信をスケジュールするために用いられる放送時間差期間ＴS を計算する。加えて、放送サービス割り当て機能３２０のＱｏＳ割り当て機能３２４はユーザー・ベースで音声品質と放送キャパシティとの間のバランスを図ることを可能にする。
【００３２】
放送スケジュール機能３２２はそのセクター内の各ユーザーに対するＢＳＭＳの送信時間に時間差をつける。これによって、通常ＢＳＭＳメッセージの送信に原因を帰せしめ得る音声品質及びシステム・キャパシティに対する悪影響が低下する。各セクターに対する放送時間差期間ＴS はそのセクター内のＮV、メッセージ長ＴM 、及び放送期間調整機能３１０によって調整が図られたセクターあたりの有効性／反復期間ＴPS の関数として示されることが望ましく、その関数はここではｇ（ＮV ，ＴM ，ＴPs）として示される。例えば、各セクターに対する放送時間差期間ＴS は
ＴS ＝ｇ（ＮV ，ＴM ，ＴPs）＝（ＴPS −ＴM）（ＮV −１）
の式で計算され、この式で放送時間差期間ＴS が各セクターに対して計算される。一度計算されると、放送時間差期間ＴS を用いて、システムのユーザーに対するＢＳＭＳメッセージの送信をスケジュールすることができる。ユーザーに対する送信の順序はランダムでも構わないし、個々のユーザーに対する低率会話フレームの利用可能性によって決めてもよい。図７は上記の式に基づく、セクターの個々のユーザーに対するＢＳＭＳメッセージの時間差スケジューリングを示す図である。しかしながら、放送時間差期間ＴS を計算するために用いられた上の式はひとつの例であって、本発明はこの式だけに限定されるものではない。
【００３３】
ＱｏＳ割り当て機能３２４はユーザーがより大きなＢＳＭＳキャパシティを望み、それを受けるために音声品質のバランスを図ることを希望するかもしれないという可能性を考慮に入れる。各ユーザーはサービス・プロバイダによって提供されるサービス・プランに対して予約を行う。バランス調整（トレードオフ）の量はユーザーが選ぶサービス・プランに依存する。このトレードオフはＱｏＳ割り当て３２４によって２通りの方法で行うことができる。
【００３４】
ひとつの方法はユーザーあたりの必要性に基づいて目標ＦＥＲを割り当て、ＦＥＲを増大させてより大きなＢＳＭＳメッセージ・キャパシティを受け入れられるようにすることである。つまり、ユーザーに送信される音声情報のＦＥＲを増大させることで、より少ない音声情報が送られるようにすることである。これによってそのユーザーのために送信フレーム内でより大きなスペースが使えるようになる。さらに追加的なスペースをＢＳＭＳ情報のために用いることができる（ＢＳＭＳキャパシティが増大する）。目標ＦＥＲはそのセクター内の音声ユーザーＮV 、メッセージ長ＴM 、及び放送期間調整機能３１０によって調整されたセクターあたりの有効性／反復期間ＴPS の関数として表現することができ、ここではｈt（ＮV ，ＴM ，１／ＴPs） として表現される。つまり、目標ＦＥＲは音声負荷（例えばＮV ）及び放送負荷（例えばＴM／ＴPS ）の関数である。なお、その計算が音声負荷及び放送負荷の関数であれば、本発明はｈt に関していずれの特定の式にも限定されない。先行技術において知られているように、基地局に対するパワー・コントロールは各ユーザー・ベースで目標ＦＥＲを調整する。
【００３５】
音声品質とＢＳＭＳメッセージ・キャパシティとのバランス調整を達成する第二の方法は音声品質を低下させるようにユーザーのボコーダーを割り当て、ＢＳＭＳメッセージ・キャパシティを増大させることである。つまり、ボコーダー・モードを音声品質を低下するように設定して、より少ない音声情報をユーザーに送信することである。これによってそのユーザーのための送信フレームのより大きなフレームが達成される。この追加的なスペースはＢＳＭＳ情報のために使用することができる（ＢＳＭＳキャパシティが増大する）。各ユーザーのボコーダー・モードはそのセクター内の音声ユーザーＮV 、メッセージ長ＴM 、及び放送期間調整機能３１０によって調整されたセクターあたりの有効性／反復期間ＴPSの関数として表現することができ、ここではｈm（ＮV ，ＴM ，１／ＴPs） として表現される。つまり、ユーザーのボコーダー・モードは音声負荷（例えばＮV）及び放送負荷（例えばＴM／ＴPS ）の関数である。なお、その計算が音声負荷及び放送負荷の関数であれば、本発明はｈm に関していずれの特定の式にも限定されない。
【００３６】
本発明はソフトウエアでインプリメントされ、ソフトウエア命令及びデータは移動交換センター及び基地局のＰＲＯＭ、ＥＥＰＲＯＭ、あるいはその他の非揮発性メモリーに保存される。本発明はハード・ドライブ、フロッピー・ディスクあるいはその他の半恒久的記憶媒体に保存しておいて、後で移動交換センター及び基地局に提供することもできる。本発明を用いたプログラムは又プログラム・コード・セグメントに分割したり、例えば、サーバー・コンピュータからダウンロードしたり、あるいは搬送波にデータ信号化して、それを移動交換センターや基地局に先行技術の場合と同様に送信することも可能である。加えて、本発明はハードウエアやハードウエアとソフトウエアの組み合わせの形態でインプリメントすることもできる。特に、本発明はアプリケーション固有統合回路（ＡＳＩＣ）にインプリメントすることも可能である。
【図面の簡単な説明】
【図１】通常のＣＤＭＡ無線通信システムを示す図。
【図２】本発明のひとつの実施の形態によって構成されたＣＤＭＡ無線通信システムを示す構成図。
【図３】図２に示すＣＤＭＡ無線通信システムで用いられる典型的な基地局の構成図。
【図４】図に示すＣＤＭＡ無線通信システムで用いられる典型的な移動交換センターの構成図。
【図５】本発明によって行われる典型的な機能を示す高レベル構成図。
【図６】本発明によって行われる典型的な機能を示す構成図。
【図７】図２に示すＣＤＭＡ無線通信システムの個別ユーザーに対する放送ショート・メッセージ・サービス（ＢＳＭＳ）メッセージの時間差スケジューリングのひとつの例を示す図。
【図８】本発明によって行われるＢＳＭＳスケジューリング・プロセスに基づく典型的なサービス品質調整（ＱｏＳ）を示すフローチャート。
【図１】
0003875469.tif 000002
【図２】
0003875469.tif 000003
【図３】
0003875469.tif 000004
【図４】
0003875469.tif 000005
【図５】
0003875469.tif 000006
【図６】
0003875469.tif 000007
【図７】
0003875469.tif 000008
【図８】
0003875469.tif 000009